(57)【要約】【課題】壁設置箇所の設計の自由度を上げると共に、工期短縮を図れるようにする。【解決手段】壁設置予定部４の近くの床上に壁パネルＰを立ち姿勢に載置すると共に、転倒防止部材を設けて仮置きする第１工程、壁パネルＰの下側に、先端を壁設置予定部４に向けた状態のレール９を複数本併設する第２工程、複数本のレール９上に壁パネルＰを支持させ、壁パネルＰを立ち姿勢で支持しながら壁パネルＰと共に移動するサポート部材１２を壁パネルＰに取り付ける第３工程、壁パネルＰを押して、レール９上をスライドさせながら壁設置予定部４に向けて近接移動させる第４工程、壁パネルＰの下端部を壁設置予定部４における床側固定部１８上に載置する第５工程、壁パネルＰを床側固定部１８に固定した後、サポート部材１２を取り外す第６工程とを備える。【選択図】図３
2011202408.tif 000002
【特許請求の範囲】
【請求項１】
壁設置予定部に、壁パネルを取り付ける壁施工方法であって、
前記壁設置予定部の近くの床上に前記壁パネルを立ち姿勢に載置すると共に、転倒防止部材を設けて仮置きする第１工程、
前記壁パネルの下側に、先端を前記壁設置予定部に向けた状態のレールを複数本併設する第２工程、
複数本の前記レール上に前記壁パネルを支持させ、前記壁パネルを立ち姿勢で支持しながら前記壁パネルと共に移動するサポート部材を前記壁パネルに取り付ける第３工程、
前記壁パネルを押して、前記レール上をスライドさせながら前記壁設置予定部に向けて近接移動させる第４工程、
前記壁パネルの下端部を前記壁設置予定部における床側固定部上に載置する第５工程、
前記壁パネルを前記床側固定部に固定した後、前記サポート部材を取り外す第６工程とを備える壁施工方法。
【請求項２】
長手方向が前記壁パネルの立設面に交差する状態で床に沿わせ、且つ、前記壁パネルの下部に一端部を接当させる設置フレームと、前記設置フレームの他端部から前記壁パネルの上端側部に亘って連結する軸力支持可能な支持斜材を設けて前記サポート部材を構成し、
前記第４工程において前記設置フレームの他端部を押して前記壁パネルを前記壁設置予定部に向けて移動させる請求項１に記載の壁施工方法。
【請求項３】
前記第３工程で、前記設置フレームを前記レール上に摺動自在に載置すると共に、その設置フレームを前記レールとの間で上下に挟み込んで浮上り防止する抑え部材を前記レールに取り付けておく請求項２に記載の壁施工方法。
【請求項４】
前記第３工程で、前記壁パネルの下部と前記設置フレームの一端部とを相対的に上下摺動自在に接当させ、
前記壁パネルを上下昇降操作自在に支持するレベル調整部材を前記壁パネルに取り付けておく請求項２または３に記載の壁施工方法。
【請求項５】
前記壁設置予定部が、建物の天井側梁と床側梁間の開口部であり、天井側スラブの形成前に、前記壁パネルを床上に仮置きする請求項１〜４のいずれか１項に記載の壁施工方法。
【発明の詳細な説明】
【技術分野】
【０００１】
本発明は、壁設置予定部に、壁パネルを取り付ける壁施工方法に関する。
【背景技術】
【０００２】
従来、壁設置予定部に壁パネルを取り付けるのに、意匠上、梁の内側や、プレキャスト（ＰＣａ）梁の下等の建物の奥まった箇所に壁設置予定部がある場合、工場生産等で製作された壁パネルを、建物の外側から取り付けることが困難なために、予め建物の天井側梁に屋内案内レールを取付け、屋内に侵入させた壁パネルを、屋内案内レールに吊り下げた状態で、壁設置予定部に向けて移動させて案内する工法があった（例えば、特許文献１参照）。
【先行技術文献】
【特許文献】
【０００３】
【特許文献１】特開２００９−２０３７３９号公報
【発明の概要】
【発明が解決しようとする課題】
【０００４】
上述した従来の工法では、屋内案内レールを取り付ける箇所が天井側梁などの支持強度のある部分に限定され、しかも、天井側スラブの形成後でないと施工ができない等、壁パネルの設置箇所を設計する上で、制約が多く、しかも、工期の短縮が困難になるという問題点があった。
【０００５】
従って、本発明の目的は、上記問題点を解消し、壁設置箇所の設計の自由度を上げると共に、工期短縮を図れる壁施工方法を提供するところにある。
【課題を解決するための手段】
【０００６】
本発明の第１の特徴構成は、壁設置予定部に、壁パネルを取り付ける壁施工方法であって、前記壁設置予定部の近くの床上に前記壁パネルを立ち姿勢に載置すると共に、転倒防止部材を設けて仮置きする第１工程、前記壁パネルの下側に、先端を前記壁設置予定部に向けた状態のレールを複数本併設する第２工程、複数本の前記レール上に前記壁パネルを支持させ、前記壁パネルを立ち姿勢で支持しながら前記壁パネルと共に移動するサポート部材を前記壁パネルに取り付ける第３工程、前記壁パネルを押して、前記レール上をスライドさせながら前記壁設置予定部に向けて近接移動させる第４工程、前記壁パネルの下端部を前記壁設置予定部における床側固定部上に載置する第５工程、前記壁パネルを前記床側固定部に固定した後、前記サポート部材を取り外す第６工程とを備えるところにある。
【０００７】
本発明の第１の特徴構成によれば、第１工程において、壁パネルを床上に立ち姿勢で載置して転倒防止部材で支持することで、壁パネルに曲げ作用などの負荷をかけずに準備でき、引き続き、第２工程から第４工程にかけてレール上に壁パネルを支持させて壁設置予定部にかけてスライドさせて移動させることで、壁設置予定部に壁パネルを簡単に配置できる。
従って、レールを床に置くだけで、従来のように壁パネル移動支持用のレールを天井の梁に取り付けるような手間を省くことができると共に、レールの配置箇所が制限されることなく壁設置予定部を設計する上での自由度が増す。その上、サポート部材で壁パネルを立ち姿勢で支持しながら移動することにより、壁パネルに負荷をかけずに施工できる。
また、第５工程および第６工程で壁パネルの下端部を床側固定部上に載置し、固定した後、サポート部材を取り外すことにより、壁パネルの取付まで転倒することなく安全性を維持できる。
【０００８】
本発明の第２の特徴構成は、長手方向が前記壁パネルの立設面に交差する状態で床に沿わせ、且つ、前記壁パネルの下部に一端部を接当させる設置フレームと、前記設置フレームの他端部から前記壁パネルの上端側部に亘って連結する軸力支持可能な支持斜材を設けて前記サポート部材を構成し、前記第４工程において前記設置フレームの他端部を押して前記壁パネルを前記壁設置予定部に向けて移動させるところにある。
【０００９】
本発明の第２の特徴構成によれば、本発明の第１の特徴構成による上述の作用効果を叶えることができるのに加えて、サポート部材を構成する設置フレーム及び支持斜材と、壁パネルとでトラス構造を形成することにより、簡単な装置で壁パネルを立ち姿勢で安定支持でき、その上、設置フレームの他端部を押すことにより、その押し力が壁パネルの下部に伝達するために、壁パネルとレールとの間の摩擦抵抗の発生箇所近くに、押し力を作用させられ、壁パネルに転倒モーメントが発生するのを防止できる。
従って、レール上を壁パネルは転倒することなく立ち姿勢で安定して移動できる。
【００１０】
本発明の第３の特徴構成は、前記第３工程で、前記設置フレームを前記レール上に摺動自在に載置すると共に、その設置フレームを前記レールとの間で上下に挟み込んで浮上り防止する抑え部材を前記レールに取り付けておくところにある。
【００１１】
本発明の第３の特徴構成によれば、設置フレームがレール上を壁パネルと共に、摩擦抵抗少なくスムーズに摺動しながら移動でき、しかも、壁パネルが移動方向に転倒しようとする作用力が働いても、設置フレームが、抑え部材によりレールとの間で上下に挟まれて浮上りを防止されるために、壁パネルの転倒は防止される。
従って、壁パネルは、より安定して移動できる
【００１２】
本発明の第４の特徴構成は、前記第３工程で、前記壁パネルの下部と前記設置フレームの一端部とを相対的に上下摺動自在に接当させ、前記壁パネルを上下昇降操作自在に支持するレベル調整部材を前記壁パネルに取り付けておくところにある。
【００１３】
本発明の第４の特徴構成によれば、壁パネルを壁設置予定部に移動した後、レベル調整部材により、設置フレームの一端部との間を手間少なく上下に摺動させて、所定の高さの床側固定部に載置して固定できる。
従って、レールと床側固定部との間に例え上下段差があっても、簡単に乗り越えて壁パネルを設置できる。
【００１４】
本発明の第５の特徴構成は、前記壁設置予定部が、建物の天井側梁と床側梁間の開口部であり、天井側スラブの形成前に、前記壁パネルを床上に仮置きするところにある。
【００１５】
本発明の第５の特徴構成によれば、建物の天井側梁と床側梁間の開口部のように建物の奥まった位置であっても、天井側スラブの形成前に、クレーン等を使用して、効率よく壁パネルを床上に仮置きでき、その後は、天井側スラブを形成した後でも壁パネルを設置予定箇所に取付できる。
【図面の簡単な説明】
【００１６】
【図１】施工状態の全体斜視図である。
【図２】施工状態の全体の縦断面図である。
【図３】施工途中の側面図である。
【図４】レールと設置フレームを設けた状態の要部縦断面図である。
【図５】（ａ）は第１工程の側面図、（ｂ）は第２工程〜第３工程の側面図である。
【図６】（ｃ）は第４工程の側面図、（ｄ）は第５工程の側面図である。
【発明を実施するための形態】
【００１７】
以下に本発明の実施の形態を図面に基づいて説明する。
図１〜図６に示すように、建物の奥まった箇所で、例えば床側の梁と天井側の梁との間でしかも室内側に壁設置予定部４がある場合、次の手順で施工工程が行われる。
尚、壁パネルＰは、プレキャストコンクリート製（ＰＣ版）のパネルで、窓などの開口部が設けられている。
【００１８】
１．  床側梁１及び床スラブ２が形成されると共に、天井側梁３が形成されただけで上階スラブの形成前の段階で、壁設置予定部４の近くの床上の仮置き台５上に、壁パネルＰを、クレーンで上方から吊り下げて立ち姿勢に載置すると共に、金属パイプ６などの転倒防止部材を、壁パネルＰの上部と床スラブ２とに亘って斜材として仮連結固定する。尚、壁パネルＰの上部には、金属パイプ６の一端部との連結用の第１金具７が、予め埋設一体化してあり、床スラブ２には、金属パイプ６の他端部との連結用のアンカー金具８が取り付けてある。・・・・第１工程（図５（ａ））
２．  壁パネルＰの下側に、先端を壁設置予定部４に向けると共に、長手方向が壁パネルＰの立設面に交差する状態で床スラブ２に沿わせたレール９を、２本併設する。各レール９の下側にユニブロック等のジャッキ装置１０を介在させて、高さ調整して仮置き台５からレール９上に壁パネルＰを載せかえる。尚、各レール９の後端部が浮上らないように固定するために、天井スラブ３１とレール後端部との間に、夫々鋼管１１を突っ張らせて設置してある。・・・・第２工程（図３，図５（ｂ））
３．  ２本のレール９上に壁パネルＰを支持させた状態で、壁パネルＰを立ち姿勢で支持しながら壁パネルＰと共に移動するサポート部材１２を壁パネルＰに取り付ける。サポート部材１２は、レール９と同様に長手方向が壁パネルＰの立設面に交差する状態で床に沿わせて、レール９上に摺動自在に載置し、且つ、壁パネルＰの下部に相対的に上下摺動自在に一端部を接当させる設置フレーム１３と、設置フレーム１３の他端部から壁パネルＰの上端側部に亘って連結する軸力支持可能な２本の鋼管からなる支持斜材１４とを設けて構成してある。尚、壁パネルＰを上下昇降操作自在に支持するレベル調整部材１５を、壁パネルＰに取り付けておく（図２，図３）。また、図３、図４に示すように、設置フレーム１３をレール９との間で上下に挟み込んで浮上り防止する抑え部材１６を、レール９に取り付けておく。・・・・第３工程（図３）
４．  設置フレーム１３の後端に、シリンダー基端部をレール９に固定した油圧ジャッキ１７のピストンロッド先端部を連結しておき、その油圧ジャッキ１７の伸張操作により設置フレーム１３を介して壁パネルＰを押して、レール９上をスライドさせながら壁設置予定部４に向けて近接移動させる。・・・・第４工程（図６（ｃ））
５．  壁設置予定部４における床側固定部１８には、図２に示すように、室外から室内に雨水等が侵入しないように、水切り構造として所定量下がった段差部１９が形成してあり、壁パネルＰの下端部を壁設置予定部４における床側固定部１８上に載置する際に、レベル調整部材１５による上下調整により、壁パネルＰの下端部を上下調整移動させる。・・・・第５工程（図６（ｄ））
６．  壁パネルＰの上端部を、天井側梁３に金属連結板２０を介してボルト２１で固定すると共に、下端部は、壁パネルＰに取り付けたレベル調整部材１５を、床側固定部１８に固定することにより、壁パネルＰ全体を躯体に固定する。その後、サポート部材１２を取り外す。・・・・第６工程（図２）
【００１９】
前記レベル調整部材１５は、図２に示すように、壁パネルＰの下部に取り付けた第２金具２３に上下出退ボルト２４を取付け、その上下出退ボルト２４の下端部をレール９上面に接当させて、上下出退ボルト２４の回動操作で、壁パネルＰの上下位置を調整できるように構成してある。
【００２０】
前記抑え部材１６は、図４に示すように、設置フレーム１３の一側の第１フランジ部２５をレール９の第２フランジ部２６との間で、設置フレーム１３がレール９上を移動できるように隙間を置いて挟み込む付設金具２７をクランプ具２８で固定してあり、設置フレーム１３の他側をレール９上から落下しないようにガイドするアングル部材２９を、クランプ具２８で固定して構成してある。
【００２１】
前記壁パネルＰの上下の端辺部には、図２に示すように、床側梁１との間や天井側梁３との間の防水のために、シール部材３０を介在してある。
【００２２】
〔別実施形態〕
以下に他の実施の形態を説明する。
〈１〉  サポート部材１２の設置フレーム１３は、レール９上に載置する以外に、床スラブ２上に移動自在に設置してもよい。
〈２〉  サポート部材１２の設置フレーム１３の一端部は、壁パネルＰの下部に上下摺動自在に接当する以外に、壁パネルＰが壁設置予定部４に移動するまでは、壁パネルＰの下部に連結して、壁パネルＰと共に移動できるようにしておいて、壁設置予定部４において壁パネルＰと設置フレーム１３とを分離するように構成してあっても良い。
〈３〉  サポート部材１２の設置フレーム１３他端部が浮き上がるのを防止すべく、設置フレーム１３をレール９との間で上下に挟み込む抑え部材１６をレール９に取り付けるのに代えて、の他端部に、浮上り防止用の錘を設けておいても良い。
〈４〉  前記レール９の後端部の固定に関しても、天井側スラブ３１とレール後端部との間の前記鋼管１１による突っ張り構造以外に、床スラブ２にレール後端部を仮固定してあってもよく、また、錘をレール後端部に取り付けてあっても良い。
〈５〉  壁パネルＰは、建物の外壁を形成するものに限らず、建物内部の間仕切りに利用すべく建物の外壁部よりも内側の室内に壁設置予定部４があっても良い。
〈６〉  壁パネルＰは、天井側スラブ３１が形成される前に、天井側梁３と床側梁１が存在しておれば、いつでも取り付けできる。
〈７〉  壁パネルＰは、プレキャストコンクリート以外に、金属パネルであっても、また、ガラスを装着する金属サッシであっても良い。
〈８〉  前記サポート部材１２の支持斜材１４は、２本の鋼管を使用する以外に、１本の鋼管や鋼棒であってもよい。
【００２３】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２４】
１      床側梁
３      天井側梁
４      壁設置予定部
９      レール
１２    サポート部材
１３    設置フレーム
１４    支持斜材
１５    レベル調整部材
１６    抑え部材
１８    床側固定部
Ｐ      壁パネル
【図１】
2011202408.tif 000003
【図２】
2011202408.tif 000004
【図３】
2011202408.tif 000005
【図４】
2011202408.tif 000006
【図５】
2011202408.tif 000007
【図６】
2011202408.tif 000008